【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
（ａ）回転運動を直線運動へ、又は、直線運動を回転運動へ変換する変換機構から成る直動装置を潤滑する装置であって、
（ｂ）前記変換機構に潤滑油を供給する供給路、及び、供給した潤滑油を回収する回収路を有することを特徴とする成形機用直動装置の潤滑装置。
【請求項２】
前記変換機構は、螺旋状の溝を備えるねじ軸と、該ねじ軸の螺旋状の溝と同ピッチの螺旋状の溝を備えるねじナットと、前記ねじ軸の螺旋状の溝とねじナットの螺旋状の溝との間に介在し、前記ねじ軸とねじナットとの間で動力を伝達する動力伝達部材とから成る請求項１に記載の成形機用直動装置の潤滑装置。
【請求項３】
前記ねじ軸の少なくとも一部が浸る量の潤滑油を貯留する貯留部材を有する請求項２に記載の成形機用直動装置の潤滑装置。
【請求項４】
前記貯留部材は、前記ねじ軸の少なくとも一部を潤滑油に浸る程度に覆う請求項３に記載の成形機直動装置の潤滑装置。
【請求項５】
前記ねじナットの少なくともリターンチューブの下面が浸る量の潤滑油を貯留する貯留部材を有する請求項２に記載の成形機用直動装置の潤滑装置。
【請求項６】
前記貯留部材は、前記ねじナットの少なくともリターンチューブを潤滑油に浸る程度に覆う請求項５に記載の成形機用直動装置の潤滑装置。
【請求項７】
前記供給路及び前記回収路により構成される潤滑油循環管に配設され、前記潤滑油中の不純物を除去するフィルタ手段を有する請求項１に記載の成形機用直動装置の潤滑装置。
【請求項８】
前記供給路及び前記回収路により構成される潤滑油循環管に配設された潤滑油の冷却装置を有する請求項１に記載の成形機用直動装置の潤滑装置。
【請求項９】
（ａ）回転運動を直線運動へ、又は、直線運動を回転運動へ変換する変換機構を有する射出成形機であって、
（ｂ）前記変換機構の中心軸より下方に配設された潤滑油排出管を有することを特徴とする射出成形機。
【請求項１０】
（ａ）前記変換機構の中心軸に直行する位置に潤滑油供給管を有するとともに、
（ｂ）前記変換機構の中心軸に直行する位置に潤滑油排出管を有する請求項９に記載の射出成形機。
【請求項１１】
回転運動を直線運動へ、又は、直線運動を回転運動へ変換する変換機構から成る直動装置へ潤滑油を供給路を通して供給し、供給した潤滑油を回収路を通して回収することを特徴とする成形機用直動装置の潤滑方法。
【手続補正２】
【補正対象書類名】明細書
【補正対象項目名】００１５
【補正方法】変更
【補正の内容】
【００１５】
【課題を解決するための手段】
そのために、本発明の成形機用直動装置の潤滑装置においては、回転運動を直線運動へ、又は、直線運動を回転運動へ変換する変換機構から成る直動装置を潤滑する装置であって、前記変換機構に潤滑油を供給する供給路、及び、供給した潤滑油を回収する回収路を有する。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明の他の成形機用直動装置の潤滑装置においては、さらに、前記変換機構は、螺旋状の溝を備えるねじ軸と、該ねじ軸の螺旋状の溝と同ピッチの螺旋状の溝を備えるねじナットと、前記ねじ軸の螺旋状の溝とねじナットの螺旋状の溝との間に介在し、前記ねじ軸とねじナットとの間で動力を伝達する動力伝達部材とから成る。
本発明の更に他の成形機用直動装置の潤滑装置においては、さらに、前記ねじ軸の少なくとも一部が浸る量の潤滑油を貯留する貯留部材を有する。
本発明の更に他の成形機直動装置の潤滑装置においては、さらに、前記貯留部材は、前記ねじ軸の少なくとも一部を潤滑油に浸る程度に覆う。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
本発明の更に他の成形機用直動装置の潤滑装置においては、さらに、前記ねじナットの、少なくともリターンチューブの下面が浸る量の潤滑油を貯留する貯留部材を有する。
本発明の更に他の成形機用直動装置の潤滑装置においては、さらに、前記貯留部材は、前記ねじナットの少なくともリターンチューブを潤滑油に浸る程度に覆う。
【手続補正７】
【補正対象書類名】明細書
【補正対象項目名】００２０
【補正方法】変更
【補正の内容】
【００２０】
本発明の更に他の成形機用直動装置の潤滑装置においては、さらに、前記供給路及び前記回収路により構成される潤滑油循環管に配設され、前記潤滑油中の不純物を除去するフィルタ手段を有する。
【手続補正８】
【補正対象書類名】明細書
【補正対象項目名】００２１
【補正方法】変更
【補正の内容】
【００２１】
本発明の更に他の成形機用直動装置の潤滑装置においては、さらに、前記供給路及び前記回収路により構成される潤滑油循環管に配設された潤滑油の冷却装置を有する。
【手続補正９】
【補正対象書類名】明細書
【補正対象項目名】００２２
【補正方法】変更
【補正の内容】
【００２２】
本発明の射出成形機においては、回転運動を直線運動へ、又は、直線運動を回転運動へ変換する変換機構を有する射出成形機であって、前記変換機構の中心軸より下方に配設された潤滑油排出管を有する。
【手続補正１０】
【補正対象書類名】明細書
【補正対象項目名】００２３
【補正方法】変更
【補正の内容】
【００２３】
本発明の他の射出成形機においては、さらに、前記変換機構の中心軸に直行する位置に潤滑油供給管を有するとともに、前記変換機構の中心軸に直行する位置に潤滑油排出管を有する。
【手続補正１１】
【補正対象書類名】明細書
【補正対象項目名】００２４
【補正方法】変更
【補正の内容】
【００２４】
本発明の成形機用直動装置の潤滑方法においては、回転運動を直線運動へ、又は、直線運動を回転運動へ変換する変換機構から成る直動装置へ潤滑油を供給路を通して供給し、供給した潤滑油を回収路を通して回収する。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００８２
【補正方法】変更
【補正の内容】
【００８２】
【発明の効果】
以上詳細に説明したように、本発明によれば、成形機用直動装置の潤滑装置においては、回転運動を直線運動へ、又は、直線運動を回転運動へ変換する変換機構から成る直動装置を潤滑する装置であって、前記変換機構に潤滑油を供給する供給路、及び、供給した潤滑油を回収する回収路を有する。
【手続補正１７】
【補正対象書類名】明細書
【補正対象項目名】００８４
【補正方法】変更
【補正の内容】
【００８４】
他の成形機用直動装置の潤滑装置においては、さらに、前記ねじ軸の少なくとも一部が浸る量の潤滑油を貯留する貯留部材を有する。
【手続補正１８】
【補正対象書類名】明細書
【補正対象項目名】００８６
【補正方法】変更
【補正の内容】
【００８６】
更に他の成形機用直動装置の潤滑装置においては、さらに、前記変換機構は、螺旋状の溝を備えるねじ軸と、該ねじ軸の螺旋状の溝と同ピッチの螺旋状の溝を備えるねじナットと、前記ねじ軸の螺旋状の溝とねじナットの螺旋状の溝との間に介在し、前記ねじ軸とねじナットとの間で動力を伝達する動力伝達部材とから成る。
【手続補正１９】
【補正対象書類名】明細書
【補正対象項目名】００８８
【補正方法】削除
【補正の内容】
【手続補正２０】
【補正対象書類名】明細書
【補正対象項目名】００８９
【補正方法】削除
【補正の内容】
【手続補正２１】
【補正対象書類名】明細書
【補正対象項目名】００９０
【補正方法】変更
【補正の内容】
【００９０】
更に他の成形機用直動装置の潤滑装置においては、さらに、前記ねじナットの少なくともリターンチューブの下面が浸る量の潤滑油を貯留する。
【手続補正２２】
【補正対象書類名】明細書
【補正対象項目名】００９２
【補正方法】変更
【補正の内容】
【００９２】
更に他の成形機用直動装置の潤滑装置においては、さらに、前記供給路及び前記回収路により構成される潤滑油循環管に配設され、前記潤滑油中の不純物を除去するフィルタ手段を有する。
【手続補正２３】
【補正対象書類名】明細書
【補正対象項目名】００９４
【補正方法】変更
【補正の内容】
【００９４】
更に他の成形機用直動装置の潤滑装置においては、さらに、前記供給路及び前記回収路により構成される潤滑油循環管に配設された潤滑油の冷却装置を有する。